(57)【特許請求の範囲】
【請求項１】
注出筒が肩部を介して胴体の上部に一体に設けられた合成樹脂製の内層体と、当該内層体の注出筒周りの一部において当該注出筒の先端から肩部に向かって延在する帯状部、肩部全体を占める環状部、及び胴部を全周に亘って取り囲む筒状部からなる外層体とを備え、当該外層体が軟材質からなるものであることを特徴とする、合成樹脂製の積層容器。
【請求項２】
注出筒が肩部を介して胴体の上部に一体に設けられた合成樹脂製の内層体と、当該内層体の注出筒周りの一部において当該注出筒の先端から肩部に向かって延在する帯状部、及び肩部全体を占める環状部からなる外層体とを備え、当該外層体が軟材質からなるものであることを特徴とする、合成樹脂製の積層容器。
【発明の詳細な説明】
【技術分野】
【０００１】
本発明は、触覚性に着目した合成樹脂製の積層容器に関するものである。
【背景技術】
【０００２】
合成樹脂製の容器には、例えば、注出筒が肩部を介して胴体の上部に一体に設けられた合成樹脂製の内層体と、当該内層体の外表面を覆うように積層された外層体とを有するものがある（例えば、特許文献１参照）。
【先行技術文献】
【特許文献】
【０００３】
【特許文献１】特開平７−２０５９５１号公報
【発明の概要】
【発明が解決しようとする課題】
【０００４】
しかしながら、従来の積層容器に係る、外層体は、内層体を外界からの衝撃から保護する保護層や、内容物の品質を保持する遮蔽層として機能するものに過ぎず、使用者が把持するという、外層体本来の機能に着目して構成されたものではなかった。
【０００５】
本発明の目的とするところは、把持したときの感触に特徴を有する、新規な合成樹脂製の積層容器を提供することにある。
【課題を解決するための手段】
【０００６】
本発明である、合成樹脂製の積層容器は、注出筒が肩部を介して胴体の上部に一体に設けられた合成樹脂製の内層体と、当該内層体の注出筒周りの一部において当該注出筒の先端から肩部に向かって延在する帯状部、肩部全体を占める環状部、及び胴部を全周に亘って取り囲む筒状部からなる外層体とを備え、当該外層体が軟材質からなるものであることを特徴とするものである。また、本発明である、合成樹脂製の積層容器は、注出筒が肩部を介して胴体の上部に一体に設けられた合成樹脂製の内層体と、当該内層体の注出筒周りの一部において当該注出筒の先端から肩部に向かって延在する帯状部、及び肩部全体を占める環状部からなる外層体とを備え、当該外層体が軟材質からなるものとすることもできる。
【０００７】
内層体を構成する合成樹脂としては、例えば、ＰＥＴ（ポリエチレンテレフタレート）ＰＰ(ポリプロピレン)を主成分としたものが挙げられる。更に、外層体を構成する軟材質としては、例えば、エラストマが挙げられる。
【０００８】
また、外層体は、例えば内層体の注出筒に凹溝を形成することで、当該注出筒周りの一部に、その先端から肩部に向かって延在させることができる。本発明である、合成樹脂製の積層容器は、例えば、インサート成形のように、インサート品として内層体を金型内に装填した後、溶融した軟材質の樹脂を注入することで、複合材料の一体品として成形することができる。
【発明の効果】
【００１０】
本発明によれば、内容物の収納及び注出を目的とした内層体本来の機能を損なうことなく、外層体を把持したときに、握りに伴う変形と、その変形に対する復元力により、握りの感触（マット感）が良好なものとなる。
【００１１】
また、本発明によれば、例えば、インサート成形のように、インサート品として内層体を金型内に装填した後、溶融した軟材質の樹脂を注入することで、複合材料の一体品として成形する場合、肩部や胴部といった感触を得やすい部分に注入ゲートの跡が残ることがなく、軟材質本来の感触を得ることができる。さらに、本発明によれば、後工程での加飾（印刷や蒸着等）がないので、強く擦ったりしても剥がれることはない。
【００１２】
従って、本発明によれば、把持したときの感触に特徴を有する、新規な合成樹脂製の積層容器を提供することができる。
【００１３】
特に、外層体を、注出筒の先端から肩部を介して胴体に至るまで設ければ、積層容器のほぼ全体に亘って、良好なマット感を得ることができる。
【００１４】
また、外層体を、注出筒の先端から肩部に至るまで設ければ、内層体の胴部が外層体に覆われることなく、外界に露出する。このため、外層体を着色する等、当該外層体に覆われない部分を利用すれば、良好なマット感と共に、内層体に起因した視覚的な効果を付加することができる。
【図面の簡単な説明】
【００１５】
【図１】本発明の第１の形態を示す斜視図である。
【図２】(a),(b)はそれぞれ、同形態の平面図及び同形態を一部断面で示す側面図である。
【図３】本発明の第２の形態を示す斜視図である。
【図４】同形態を一部断面で示す側面図である。
【発明を実施するための形態】
【００１６】
以下、図面を参照して、本発明である、合成樹脂製の積層容器を詳細に説明する。
【００１７】
図１及び２には、本発明の第１の形態である、ボトル型積層容器（以下、「積層ボトル」）を示す。
【００１８】
１は、その内側に内容物を充填する空間（以下、「充填空間」）Ｃを形作る内層体である。内層体１は、ＰＰを主成分とする透明又は半透明な合成樹脂からなり、注出筒１ａが肩部１ｂを介して胴体１ｃの上部に一体に設けられたボトル型容器である。充填空間Ｃ内の内容物は、注出筒１ａの内側に形成された注出路Ｐを通して注出される。なお、本形態は、底部１ｄを別体に構成することで、この底部１ｄを胴部１ｃの下端に組み付けてなるものであるが、当該底部１ｄは省略されている。
【００１９】
２は、内層体１の外表面を覆う外層体である。外層体２は、例えば、エラストマのような軟材質からなり、肩部１ｂを介して胴部１ｃに掛けて設けられている。これにより、外層体２を把持したときに、握りに伴う変形と、その変形に対する復元力により、握りの感触（マット感）が良好なものとなる。
【００２０】
特に、本形態では、内層体１の注出筒１ａのうち、当該注出筒１ａ周りの一部に、当該注出筒１ａの先端１ｅから肩部１ｂに向かって延在する凹溝Ｇが形成されている。これにより、外層体２は、インサート品として内層体１を金型内に装填した後、溶融したエラストマに代表される軟材質の樹脂を、注出筒１ａの先端１ｅを注入ゲートとして、当該先端１ｅから凹溝Ｇに沿って注入することで、内層体１の外表面に形成される。
【００２１】
本形態では、外層体２は、注出部１ａに形成されたねじ部Ｓの一部をなす帯状部２ａと、肩部１ｂ全体を占める環状部２ｂと、胴部１ｃを全周に亘って取り囲む筒状部２ｃとで構成される。即ち、本形態に係る、積層ボトルは、インサート品として内層体１を金型内に装填した後、溶融した軟材質の樹脂を注入することで、複合材料の一体品として成形される。
【００２２】
本形態によれば、内容物の収納及び注出を目的とした内層体１本来の機能を損なうことなく、外層体２を把持したときに、握りに伴う変形と、その変形に対する復元力により、握りの感触（マット感）が良好なものとなる。
【００２３】
また、本形態によれば、例えば、インサート成形のように、インサート品として内層体１を金型内に装填した後、溶融した軟材質の樹脂を注入することで、複合材料の一体品として成形する場合、肩部１ｂや胴部１ｃといった感触を得やすい部分に注入ゲートの跡が残ることがなく、軟材質本来の感触を得ることができる。
【００２４】
従って、本形態によれば、把持したときの感触に特徴を有する、新規な積層容器を提供することができる。
【００２５】
また、本形態の如く、外層体２を、注出筒１ａの先端１ｅから肩部１ｂを介して胴体１ｃに至るまで設ければ、積層容器のほぼ全体に亘って、良好なマット感を得ることができる。
【００２６】
また、図３及び４には、本発明の第２の形態である、積層ボトルを示す。なお、第１の形態と同一部分は、同一符号をもって、その説明を省略する。
【００２７】
本形態では、外層体２は、注出部１ａに形成されたねじ部Ｓの一部をなす帯状部２ａと、肩部１ｂ全体を占める環状部２ｂとで構成される。即ち、外層体２を、注出筒１ａの先端１ｅから肩部１ｂに至るまで設けている。
【００２８】
この場合、内層体１の胴部１ｃが、同図に示すように、外層体２に覆われることになく、外界に露出する。このため、内層体１を着色すれば、外層体２と共に装飾的な効果を得ることができる。また、内層体１を透明又は半透明の樹脂で構成すれば、内層体１の胴部１ｃを通して内容物の残量を確認することができる。
【００２９】
従って、本形態の如く、外層体２に覆われない部分を利用すれば、良好なマット感と共に、内層体１に起因した視覚的な効果を付加することができる。
【００３０】
上述したところは、本発明の一形態を示したに過ぎず、特許請求の範囲内において、種々の変更を加えることができる。例えば、本形態に係る外層体２は、内層体１の注出筒１ａに凹溝Ｇを形成することで、当該注出筒１ａについては帯状部としているが、本発明に従えば、注出筒１ａを全周に亘って覆うことで筒状部として構成することも可能である。更に、外層体２は、着色により装飾効果を持たせることができる。本発明に従えば、上述の各形態に採用された各構成はそれぞれ、互いに適宜、組み合わせることができる。
【符号の説明】
【００３１】
１    内層体
１ａ  注出筒
１ｂ  肩部
１ｃ  胴部
２    外層体
２ａ  線状部
２ｂ  環状部
２ｃ  筒状部
Ｃ    充填空間
Ｏ    ボトル軸線
Ｓ    ねじ部
Ｇ    凹溝
【図１】
0005415239.tif 000002
【図２】
0005415239.tif 000003
【図３】
0005415239.tif 000004
【図４】
0005415239.tif 000005